(57)【要約】【課題】  ゴミ箱の内部が汚れてしまうことを防止することができ、かつ、ゴミの臭いを遮断することができるゴミ箱を提供すること。【解決手段】  底部１０６と、側壁１０７と、を有するゴミ箱本体１０１と、側壁１０７の上端１０７ａに嵌め込み、底部１０６及び側壁１０７により形成される空間１０８を密封する内蓋１０３と、内蓋１０３を覆う外蓋１０４と、を備え、側壁１０７の上端１０７ａと内蓋１０３との間に挟み込まれる密閉枠１０２を有し、密閉枠１０２と側壁１０７の上端１０７ａとの間又は密閉枠１０２と内蓋１０３との間にゴミ用袋を開いた状態で挟み込むことができるようにしたことを特徴とするゴミ箱１００を提供する。【選択図】    図１
0003111367.tif 000002
【実用新案登録請求の範囲】
【請求項１】
底部と、前記底部の周縁から直立する側壁と、を有するゴミ箱本体と、
前記側壁の上端に嵌め込み、前記底部及び前記側壁により形成される空間を密封する内蓋と、
前記内蓋を覆う外蓋と、を備えるゴミ箱であって、
前記側壁の上端と前記内蓋との間に挟み込まれ、前記側壁の上端及び前記内蓋に密着する密閉枠を有し、ゴミ用袋を前記空間に広げた状態で、前記密閉枠と前記側壁の上端との間又は前記密閉枠と前記内蓋との間に前記ゴミ用袋の開口側を挟み込むことができるようにしたことを特徴とするゴミ箱。
【請求項２】
前記密閉枠は、水平方向に延びる第一の部材と、前記第一の部材の下面から垂直方向に延びる第二の部材と、により形成されており、
前記第一の部材を前記側壁の上端及び前記内蓋に密着させることができるようにしたことを特徴とする請求項１に記載のゴミ箱。
【請求項３】
前記内蓋の周縁には、水平方向に延びる第一の周縁部と、前記第一の周縁部の下面から下方に延びる第二の周縁部と、が形成されており、
前記第一の周縁部が、前記第二の周縁部の外側において、前記第一の部材と密着するようにしたことを特徴とする請求項２に記載のゴミ箱。
【考案の詳細な説明】
【技術分野】
【０００１】
本考案は、ゴミ箱に関し、特に、底面と側壁とにより囲まれた空間を密閉することができるゴミ箱に関する。
【背景技術】
【０００２】
底面と側壁とにより囲まれた空間を有するゴミ箱には、ゴミ箱の内部が汚れてしまうことがないように、ポリエチレン等でできたゴミ用袋を広げて、底面と側壁とにより囲まれた空間内に入れておき、このゴミ用袋の中にゴミを捨てることが一般的に行われている。
【考案の開示】
【考案が解決しようとする課題】
【０００３】
しかしながら、ゴミ箱にゴミ用袋を広げていておくだけでは、ゴミ箱の内部が汚れてしまうことを防止することはできるが、例えば、使用済みのおむつ等臭いを発するゴミを捨てた場合に、このようなゴミから発する臭いを防止することはできなかった。
【０００４】
そこで、本考案は、ゴミ箱の内部が汚れてしまうことを防止することができ、かつ、ゴミの臭いを遮断することができるゴミ箱を提供することを目的とする。
【課題を解決するための手段】
【０００５】
以上の課題を解決するため、本考案は、底部と、前記底部の周縁から直立する側壁と、を有するゴミ箱本体と、前記側壁の上端に嵌め込み、前記底部及び前記側壁により形成される空間を密封する内蓋と、前記内蓋を覆う外蓋と、を備えるゴミ箱であって、前記側壁の上端と前記内蓋との間に挟み込まれ、前記側壁の上端及び前記内蓋と密着する密閉枠を有し、ゴミ用袋を前記空間に広げた状態で、前記密閉枠と前記側壁の上端との間又は前記密閉枠と前記内蓋との間に前記ゴミ用袋の開口側を挟み込むことができるようにしたことを特徴とするゴミ箱を提供する。
【０００６】
このようなゴミ箱を提供することにより、密閉枠と側壁の上端との間又は密閉枠と内蓋との間にゴミ用袋の開口端側を挟み込んで、ゴミ箱の内部にゴミ用袋を取り付けることにより、ゴミ箱の内部が汚れてしまうのを防止することができるほか、密閉枠、内蓋及び外蓋により、ゴミ箱の内部に入れられたゴミから発する臭いを遮断することができるようになる。
【０００７】
ここで、密閉枠については、側壁の上端と内蓋との間から臭いが漏れてしまうことを防止することができる範囲で、その形状や大きさを適時選択することができるが、例えば、水平方向に延びる第一の部材と、この第一の部材の下面から垂直方向に延びる第二の部材と、により密閉枠に形成し、この第一の部材を側壁の上端に密着させるようにすることにより、密閉枠と側壁の上端とが密着して、これらの間から臭いが漏れてしまうことがなくなる。
【０００８】
また、このように、第一の部材と第二の部材とにより密閉枠を形成した場合には、内蓋の周縁に、水平方向に延びる第一の周縁部と、この第一の周縁部の下面から下方に延びる第二の周縁部と、を形成しておき、第一の周縁部と第二の周縁部との間においてこの第一の周縁部が密閉枠の第一の部材に密着させることで、密閉枠と内蓋とが密着しこれらの間から臭いが漏れてしまうことがなくなる。
【０００９】
なお、内蓋には、開口部と、この開口部を覆い、内蓋に対して回動自在に連結されている開閉部材と、を設けておくことにより、開閉部材を回動させることで開口部を露出させて、この開口部からゴミを捨てることができるようになる。
【００１０】
また、内蓋には、開口部と、この開口部を覆い、内蓋に対して着脱自在に取り付けられている着脱部材と、を設けておくことにより、この着脱部材を取り外して開口部を露出させて、この開口部からゴミを捨てることができるようになる。
【考案の効果】
【００１１】
以上のように、本考案によれば、密閉枠と側壁の上端との間又は密閉枠と内蓋との間にゴミ用袋の開口側を挟み込んで、ゴミ用袋を収納することができるため、ゴミ箱の内部が汚れてしまうことを防止することができ、また、ゴミ箱の側壁と密閉枠及び密閉枠と内蓋とが密着し、さらに、内蓋を覆う外蓋を有しているため、ゴミ箱の内部に入れられたゴミの臭いを遮断することができる。
【考案を実施するための最良の形態】
【００１２】
図１は、本考案の第一の実施形態に係るゴミ箱１００の分解斜視図である。
【００１３】
本実施形態に係るゴミ箱１００は、ゴミ箱本体１０１と、密閉枠１０２と、内蓋１０３と、外蓋１０４と、により構成されている。
【００１４】
ゴミ箱本体１０１は、底部１０６と、この底部１０６の周縁から直立する側壁１０７とにより構成されており、これらの底部１０６と側壁１０７とにより囲まれた空間１０８に使用済みのおむつ等のゴミを収納することができるようにしている。
【００１５】
ここで、底部１０６及び側壁１０７の大きさ・形状については、これらにより囲まれた空間１０８に捨てる物の大きさ・形状を考慮して適時選択することができる設計事項である。
【００１６】
また、ゴミ箱本体１０１の材質についても、適時選択することができる設計事項であり、ポリプロピレン等の樹脂やステンレス等の金属といった材質により形成することができる。
【００１７】
側壁１０７の上端１０７ａには、密閉枠１０２が載せられている。
【００１８】
ここで、密閉枠１０２については、ポリプロピレン樹脂により形成されており、側壁１０７の上端１０７ａの形状に合わせて形成している。
【００１９】
なお、本実施形態においては、側壁１０７の上端１０７ａ及び後述する内蓋１０３の第一の周縁部１０３ａの下面が平面状に形成されているため、これらに密着するように、密閉枠１０２の上面１０２ａ及び下面１０２ｂについても、平面状に形成されている。
【００２０】
内蓋１０３は、板状部材により形成されており、その周縁には、水平方向に延びる第一の周縁部１０３ａと、この第一の周縁部１０３ａの下面から下方に延びる第二の周縁部１０３ｂと、が形成されており、この第二の周縁部１０３ｂをゴミ箱本体１０１の側壁１０７の内側に嵌め込むことにより、このゴミ箱本体１０１に蓋をすることができるようにしている。
【００２１】
なお、第二の周縁部１０３ｂをゴミ箱本体１０１の側壁１０７に嵌め込んだ際には、水平方向に延びる第一の周縁部１０３ａと側壁１０７の上端１０７ａとの間に、密閉枠１０２が挟み込まれるため、第一の周縁部１０３ａと上端１０７ａとの間からゴミの臭いが漏れてしまうことを防止することができるようになる。
【００２２】
また、図２（ゴミ箱１００の使用状態を表す縦断面図）に表されているように、ゴミ箱本体１０１の底部１０６と側壁１０７とにより囲まれた空間１０８にポリエチレン等により形成されたゴミ用袋１２０の開口部１２０ａを開いて挿入し、このゴミ用袋１２０の開口部１２０ａ側を側壁１０７の上端１０７ａと密閉枠１０２の間又は密閉枠１０２と内蓋１０３との間（ここでは、上端１０７ａと密閉枠１０２の間）に挟み込んで固定することにより、ゴミ箱本体１０１の内側が汚れてしまうことを防止することができる。
【００２３】
外蓋１０４は、内蓋１０３の上方から、内蓋１０３を覆った状態で、ゴミ箱本体１０７の外側に嵌め込むことができるようにされている。
【００２４】
即ち、外蓋１０４は、上面１０４ａと、この上面１０４ａから下方に垂下する側面１０４ｂと、により形成されており、この側面１０４ｂの内側面の大きさ・形状が、ゴミ箱本体１０１の上方から側壁１０７の外側面に嵌め込むことができるように形成されている。
【００２５】
従って、この外蓋１０４を被せることによっても、ゴミ箱本体１０７の内側に入れられたゴミの臭いが外部に漏れてしまうことを防止することができるようになる。
【００２６】
以上のように、本考案を構成したので、ゴミ袋の開口部側を側壁１０７の上端１０７ａと密閉枠１０２の間又は密閉枠１０２と内蓋１０３との間に挟み込んで固定して、ゴミ袋を開いた状態でゴミ箱本体１０１に収納することにより、ゴミ箱本体１０１の内側が汚れてしまうことを防止することができるとともに、ゴミ箱本体１０１の側壁１０７の上端１０７ａと内蓋１０３との間に密閉枠１０２を挟み込んであり、かつ、内蓋１０３の上に外蓋１０４を被せてあるため、ゴミ箱本体１０１の内部に入れたゴミの臭いが外部に漏れてしまうことを防止することができる。
【００２７】
なお、本実施形態においては、密閉枠１０２については、ポリプロピレン樹脂により形成しているが、この材質については、側壁１０７の上端１０７ａ及び内蓋１０３に密着させることができる範囲で適時選択することができる設計事項であり、例えば、ゴム等により軽視することも可能である。
【００２８】
図３は、本考案の第二の実施形態に係るゴミ箱２００の分解斜視図である。
【００２９】
本実施形態に係るゴミ箱２００は、ゴミ箱本体２０１と、密閉枠２０２と、内蓋２０３と、外蓋２０４と、により構成されている。
【００３０】
ゴミ箱本体２０１は、第一の実施形態と同様に、底部２０６と、この底部１０６の周縁から直立する側壁２０７とにより構成されているが、側壁２０７の前面の下端部には、足で踏むペダル２１０が取り付けられており、このペダル２１０を足等で下方に押し下げることにより、後述するように、外蓋２０４が開くようにされている。
【００３１】
ここで、底部２０６及び側壁２０７の大きさ・形状については、これらにより囲まれた空間２０８に捨てる物の大きさ・形状を考慮して適時選択することができる設計事項である。
【００３２】
また、本実施形態においては、図４（ゴミ箱２００の縦断面図）に表されているように、側壁２０７の上端２０７ａに、側壁２０７から外側に向かって延びる横段差部２１１ａと、この横段差部２１１ａの先端から上方に向かって延びる縦段差部２１１ｂと、からなる段差部２１１が形成されており、この段差部２１１に後述する密閉枠２０２及び内蓋２０３を取り付けることができるようにしている。
【００３３】
なお、第一の実施形態と同様に、ゴミ箱本体２０１の材質については、適時選択することができる設計事項であり、ポリプロピレン等の樹脂やステンレス等の金属といった材質により形成することができる。
【００３４】
側壁２０７の上端２０７ａに形成されている段差部２１１には、密閉枠２０２が載せられている。
【００３５】
本実施形態における密閉枠２０２は、横方向に延びる第一の部材２０２ｃと、第一の部材２０２ｃの内側の端部から垂直下方に延びる第二の部材２０２ｄと、により形成されており、第一の部材２０２ｃを側壁２０７の上端２０７ａに形成されている横段差部２１１ａに密着させることができるようにしている。
【００３６】
ここで、本実施形態における密閉枠２０２については、ポリプロピレン樹脂により形成されている。
【００３７】
内蓋２０３の周縁には、水平方向に延びる第一の周縁部２０３ａと、この第一の周縁部２０３ａの下面から下方に延びる第二の周縁部２０３ｂと、が形成されており、第二の周縁部２０３ｂの外側において、この第一の周縁部２０３ａが密閉枠２０３の第一の部材２０２ｃと密着するようにして、内蓋２０３を側壁２０７の上端２０７ａに形成されている段差部２１１に嵌め込むことにより、このゴミ箱本体２０１に蓋をすることができるようにしている。
【００３８】
なお、内蓋２０３と側壁２０７の上端２０７ａとの間には、密閉枠２０２が挟み込まれるため、これらの間からゴミ箱本体２０１の内部に入れたゴミの臭いが漏れてしまうことを防止できるようになる。
【００３９】
また、本実施形態における内蓋２０３には、開口部２１２と、この開口部２１２を覆い、内蓋２０３に対して回動自在に連結されている開閉部材２１３が形成されており、この開閉部材２１３を回動させて、開口部２１２を露出させることにより、この開口部２１２からゴミ箱本体２０１の内部にゴミを入れることができるようになり、また、この開閉部材２１３により開口部２１２を塞ぐことにより、ゴミ箱本体２０１の内部に入れられたゴミの臭いが外部に漏れてしまうことを防止できるようになる。
【００４０】
本実施形態における外蓋２０４は、側壁２０７の上端２０７ａに対してその一部において回動自在となるように連結部材２１３により連結されている。
【００４１】
ここで、連結部材２１３には、図示してはいないが、外蓋２０４を開いた状態となるようにゴミ箱本体２０１に対して上方に回動するように付勢する付勢部材と、外蓋２０４が閉じた状態を保持するロック部材と、が設けられており、このロック部材が外蓋２０４から外れることにより、外蓋２０４は付勢部材の付勢力により、図２に表されているように外蓋２０４が開いた状態となるようにされている。
【００４２】
なお、このロック部材については、前述したペダル２１０を足等で下方に押し下げることにより、外蓋２０４から外れるようにされており、ペダル２１０を足等で下方に押し下げることにより、外蓋２０４を開いた状態にすることができるようにされている。
【００４３】
外蓋２０４を下方に回動させることにより、外蓋２０４は、内蓋２０３の上方から、内蓋１０３を覆った状態で、ゴミ箱本体１０７の外側に嵌め込むことができるようにされている。
【００４４】
従って、この外蓋２０４を被せることによっても、ゴミ箱本体２０７の内側に入れられたゴミの臭いが外部に漏れてしまうことを防止することができるようになる。
【００４５】
以上のように、本考案を構成したので、ゴミ袋の開口部側を側壁２０７の上端２０７ａと密閉枠２０２の間又は密閉枠２０２と内蓋２０３との間に挟み込んで固定して、ゴミ袋を開いた状態でゴミ箱本体２０１に収納することにより、ゴミ箱本体２０１の内側が汚れてしまうことを防止することができるとともに、ゴミ箱本体２０１の側壁２０７の上端２０７ａと内蓋２０３との間に密閉枠２０２を挟み込んであり、かつ、内蓋２０３の上に外蓋２０４を被せてあるため、ゴミ箱本体２０１の内部に入れたゴミの臭いが外部に漏れてしまうことを防止することができる。
【００４６】
なお、本実施形態の内蓋２１３においては、この内蓋２１３に設けられている開口部２１２を覆うために、内蓋２０３に対して回動自在に連結されている開閉部材２１３を設けたが、このような開閉部材２１３に変わって、開口部２１２に着脱自在に嵌合する着脱部材により、この開口部２１２を覆うようにすることも可能である。
【００４７】
また、本実施形態においては、密閉枠２０２をポリプロピレン樹脂により形成しているが、これに限定されるわけではなく、側壁２０７の上端２０７ａ及び内蓋２０３に密着させることができる範囲で適時選択することができ、例えば、ゴム等により形成することも可能である。
【図面の簡単な説明】
【００４８】
【図１】ゴミ箱１００の分解斜視図。
【図２】ゴミ箱１００の使用状態を表す縦断面図。
【図３】ゴミ箱２００の分解斜視図。
【図４】ゴミ箱２００の縦断面図。
【符号の説明】
【００４９】
１００、２００  ゴミ箱
１０１、２０１  ゴミ箱本体
１０２、２０２  密閉枠
１０３、２０３  内蓋
１０４、２０４  外蓋
１０６、２０６  底部
１０７、２０７  側壁
１２０  ゴミ用袋
【図１】
0003111367.tif 000003
【図２】
0003111367.tif 000004
【図３】
0003111367.tif 000005
【図４】
0003111367.tif 000006